(57)【要約】【課題】コースの変化を可能とし、コース上を進行するユーザが競い合う。【解決手段】遊戯具ユニット１２〜１８は、内部に気密空間を有し、他の遊戯具ユニットと連結するために所定の長さで形成された連結辺を有する床部と、気密空間に連通して床部に立設された側部と、を備え、コースＣ１，Ｃ２を形成するように、連結辺と側部とで隣接された遊戯具ユニットに対する連結口が設けられており、遊戯具１は、コースＣ１，Ｃ２のスタート地点に計時を開始するためのスタートボタン１１１ａ，１１１ｂと、コースＣ１，Ｃ２のゴール地点に計時を終了するためのゴールボタン１８１ａ，１８１ｂと、が設けられている。【選択図】      図２
2020203011.tif 000002
【特許請求の範囲】
【請求項１】
遊戯具ユニットを連結することでユーザが通過するコースが形成された遊戯具であって、
前記遊戯具ユニットは、
内部に気密空間を有し、他の遊戯具ユニットと連結するために所定の長さで形成された連結辺を有する床部と、
前記気密空間に連通して前記床部に立設された側部と、
を備え、
前記コースを形成するように、前記連結辺と前記側部とで隣接された遊戯具ユニットに対する連結口が設けられており、
前記遊戯具は、
前記コースのスタート地点に計時を開始するための計時開始手段と、前記コースのゴール地点に計時を停止するための計時停止手段とが設けられた
ことを特徴とする遊戯具。
【請求項２】
前記コース上には、ユーザの通過を阻害するように障害物が設けられた
ことを特徴とする請求項１記載の遊戯具。
【請求項３】
前記コースは複数設けられたことを特徴とする請求項１または２記載の遊戯具。
【請求項４】
前記遊戯具ユニットは、
前記複数設けられたコースを区切る間仕切り部を有していることを特徴とする請求項３記載の遊戯具。
【請求項５】
２つの前記連結辺を有し、
前記２つの連結辺が対向していない前記遊戯具ユニットは、
前記複数設けられたコースを区切る間仕切り部を有していることを特徴とする請求項３記載の遊戯具。
【請求項６】
２つの連結辺を有し、
前記２つの連結辺が対向していない前記遊戯具ユニットは、
前記障害物が前記気密空間に連通して前記床部に立設されている
ことを特徴とする請求項２記載の遊戯具。
【請求項７】
前記計時開始手段により開始され、前記計時停止手段により停止されるまでの経過時間を表示手段に表示させる表示制御手段を、
さらに、を備えたことを特徴とする請求項１〜６のいずれか１項記載の遊戯具。
【請求項８】
前記ユーザを識別するユーザＩＤを読み取る読み取り手段と、
前記読み取り手段により読み取られたユーザＩＤと、前記経過時間とを関連づけて経過時間情報として記憶する記憶手段と、
をさらに備えたことを特徴とする請求項７記載の遊戯具。
【発明の詳細な説明】
【技術分野】
【０００１】
本発明は、コースの変化を可能とし、コース上を進行するユーザが競い合うことができる遊戯具に関する。
【背景技術】
【０００２】
ショッピングセンターや大型のゲームセンターなどでは、体を動かして遊ぶことができる遊戯具が設置されていることが多い。
【０００３】
この遊戯具の一種として、特許文献１には、固定部材により気密状態に支持された床シートに外部から空気を送出することで床シートを袋状に膨らませ、ユーザが床シート上でジャンプ等することで床シートが上下に変位する遊戯装置に関する技術が開示されている。また、この遊戯装置の変形例として、傾斜枠体上に床シートを配置することで滑り台型遊戯装置に関する技術が開示されている。
【０００４】
また、特許文献２には、空気注入によって浮き袋状に膨らむ環形状の環状支持壁部と、この環状支持壁部の下端側を閉じるように覆うシート部とを有し、環状支持壁部とシート部とで形成される内部空間にボールが入れられたボールプールに関する技術が開示されている。
【先行技術文献】
【特許文献】
【０００５】
【特許文献１】特許第６０６６９１７号公報
【特許文献２】特許第５９１９０７８号公報
【発明の概要】
【発明が解決しようとする課題】
【０００６】
特許文献１および特許文献２に記載の遊戯具は、それぞれのユーザが遊戯具内で自由に遊ぶことを想定して作られている。
【０００７】
そのため、特許文献１および特許文献２に記載の遊戯具では、例えば複数のユーザがそれぞれ用意されたコース上を走行してタイムを競い合うタイムトライアル形式でユーザを楽しませることは困難である。
【０００８】
また、タイムトライアル形式でユーザ同士が競い合うようにすると、毎回同じコースでは変化に乏しくユーザが飽きてしまう可能性がある。そのため、ゲーム性を高めるために、コースを簡単に組み替えることができる機能が切望されていた。
【０００９】
本発明は、上記課題に鑑みてなされたものであり、コースの変化を可能とし、コース上を進行するユーザが競い合うことができる遊戯具を提供することを目的とする。
【課題を解決するための手段】
【００１０】
上記目的を達成するため、本発明に係る遊戯具の第１の特徴は、
遊戯具ユニットを連結することでユーザが通過するコースが形成された遊戯具であって、
前記遊戯具ユニットは、
内部に気密空間を有し、他の遊戯具ユニットと連結するために所定の長さで形成された連結辺を有する床部と、
前記気密空間に連通して前記床部に立設された側部と、
を備え、
前記コースを形成するように、前記連結辺と前記側部とで隣接された遊戯具ユニットに対する連結口が設けられており、
前記遊戯具は、
前記コースのスタート地点に計時を開始するための計時開始手段と、前記コースのゴール地点に計時を停止するための計時停止手段とが設けられたことにある。
【００１１】
本発明に係る遊戯具の第２の特徴は、
前記コース上には、ユーザの通過を阻害するように障害物が設けられたことにある。
【００１２】
本発明に係る遊戯具の第３の特徴は、前記コースは複数設けられたことにある。
【００１３】
本発明に係る遊戯具の第４の特徴は、
前記遊戯具ユニットは、
前記複数設けられたコースを区切る間仕切り部を有していることにある。
【００１４】
本発明に係る遊戯具の第５の特徴は、
２つの前記連結辺を有し、
前記２つの連結辺が対向していない前記遊戯具ユニットは、
前記複数設けられたコースを区切る間仕切り部を有していることにある。
【００１５】
本発明に係る遊戯具の第６の特徴は、
２つの連結辺を有し、
前記２つの連結辺が対向していない前記遊戯具ユニットは、
前記障害物が前記気密空間に連通して前記床部に立設されている
ことにある。
【００１６】
本発明に係る遊戯具の第７の特徴は、
前記計時開始手段により開始され、前記計時停止手段により停止されるまでの経過時間を表示手段に表示させる表示制御手段を、さらに、を備えたことにある。
【００１７】
本発明に係る遊戯具の第８の特徴は、
前記ユーザを識別するユーザＩＤを読み取る読み取り手段と、
前記読み取り手段により読み取られたユーザＩＤと、前記経過時間とを関連づけて経過時間情報として記憶する記憶手段と、をさらに備えたことにある。
【発明の効果】
【００１８】
本発明に係る遊戯具によれば、コースの変化を可能とし、コース上を進行するユーザが競い合うことができる。
【図面の簡単な説明】
【００１９】
【図１】本発明の実施例１である遊戯具１の全体斜視図である。
【図２】本発明の実施例１である遊戯具１の全体平面図である。
【図３】本発明の実施例１である遊戯具１の機能構成図である。
【図４】本発明の実施例１である遊戯具１が備える遊戯具ユニット１２の斜視図である。
【図５】本発明の実施例１である遊戯具１が備える遊戯具ユニット１２の正面図である。
【図６】本発明の実施例１である遊戯具１が備える遊戯具ユニット１３の斜視図である。
【図７】本発明の実施例１である遊戯具１が備える遊戯具ユニット１３の正面図である。
【図８】本発明の実施例１である遊戯具１が備える遊戯具ユニット１４の斜視図である。
【図９】本発明の実施例１である遊戯具１が備える遊戯具ユニット１４の斜視図である。
【図１０】本発明の実施例１である遊戯具１が備える遊戯具ユニット１７の斜視図である。
【図１１】本発明の実施例１である遊戯具１が備える遊戯具ユニット１８の斜視図である。
【発明を実施するための形態】
【００２０】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。
【００２１】
また、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２２】
＜実施例１＞
図１は、本発明の実施例１である遊戯具１の全体斜視図であり、図２は、本発明の実施例１である遊戯具１の全体平面図であり、図３は、本発明の実施例１である遊戯具１の機能構成図である。本発明の実施例１では、複数の遊戯具ユニットを連結することで２人のユーザがそれぞれ通過するコースが形成された遊戯具１を例に挙げて説明する。以下の説明においては、図１，図２における上下方向をＺ１−Ｚ２方向とし、左右をＸ１―Ｘ２方向、前後方向をＹ１−Ｙ２方向とする。
【００２３】
図１，２に示すように、遊戯具１は、遊戯具ユニット１１〜１８が連結されて設けられている。これにより、ユーザが通過するコースＣ１およびＣ２が形成されている。
【００２４】
詳細は後述するが、遊戯具ユニット１１〜１８のそれぞれは、少なくとも床面に設置される床部と、床部に立設された側部とを有している。
【００２５】
床部は、内部に気密空間を有し、他の遊戯具ユニットと連結するために所定の長さで形成された少なくとも２つの連結辺を有している。
【００２６】
側部は、床部の気密空間に連通して設けられる。側部は、支柱形状を有するものと壁面形状を有するものがある。
【００２７】
床部の連結辺と側部とで、隣接された遊戯具ユニットに対する出入口（連結口）が形成される。隣接された遊戯具ユニットの出入口同士が対向するように遊戯具ユニット１１〜１８が設置されることにより、ユーザが通過するコースＣ１およびＣ２を形成することができる。ただし、遊戯具ユニット１１は、コースＣ１およびＣ２の先頭に配置され、遊戯具ユニット１８はコースＣ１およびＣ２の最後尾に配置される。遊戯具ユニット１２〜１７の配置順は、図１，２に示した配置順に限らず、自由に組み替えることができる。
【００２８】
また、遊戯具ユニット１１には、コースＣ１のスタート地点に計時を開始するためのスタートボタン１１１ａと、コースＣ２のスタート地点に計時を開始するためのスタートボタン１１１ｂとが設けられている。
【００２９】
遊戯具ユニット１８には、コースＣ１のゴール地点に計時を終了するためのゴールボタン１８１ａと、コースＣ２のゴール地点に計時を終了するためのゴールボタン１８１ｂとが設けられている。
【００３０】
これにより、例えば、ユーザがスタートボタン１１１ａを押下操作した後、コースＣ１に沿って進行し、ゴールボタン１８１ａを押下操作することにより、コースＣ１を通過する時間を計時することができる。同様に、ユーザがスタートボタン１１１ｂを押下操作した後、コースＣ２に沿って進行し、ゴールボタン１８１ｂを押下操作することにより、コースＣ２を通過する時間を計時することができる。
【００３１】
また、遊戯具ユニット１８には、コースＣ１およびＣ２を通過する経過時間（タイム）を表示する表示パネル１８２が設けられている。
【００３２】
図３に示すように、本発明の実施例１である遊戯具１は、制御部２０と、読み取り部３１ａ，３１ｂと、表示パネル１８２と、スタートボタン１１１ａ，１１１ｂと、ゴールボタン１８１ａ，１８１ｂとを備えている。このうち、表示パネル１８２と、スタートボタン１１１ａ，１１１ｂと、ゴールボタン１８１ａ，１８１ｂとは上述したので、説明を省略する。
【００３３】
読み取り部３１ａ，３１ｂは、ユーザを識別するためのユーザＩＤが記憶されたＩＤカードと非接触で通信を確立し、ＩＤカードＤ１，Ｄ２からユーザＩＤを読み取る機能を有する。読み取り部３１ａはコースＣ１側に設けられており、読み取り部３１ｂはコースＣ２側に設けられている。ユーザは、自身が保有するＩＤカードＤ１を読み取り部３１ａにかざすと、読み取り部３１ａは、ＩＤカードＤ１からユーザＩＤを読み取り、読み取ったユーザＩＤを制御部２０へ送信する。これにより、ＩＤカードＤ１を保有するユーザがコースＣ１を通過すると認識できる。同様に、ユーザは、自身が保有するＩＤカードＤ２を読み取り部３１ｂにかざすと、読み取り部３１ｂは、ＩＤカードＤ２からユーザＩＤを読み取り、読み取ったユーザＩＤを制御部２０へ送信する。これにより、ＩＤカードＤ２を保有するユーザがコースＣ２を通過すると認識できる。
【００３４】
制御部２０は、ＣＰＵやメモリを備えており、その機能上、ＩＤ取得手段２１と、記憶部２２と、ユーザ関連情報算出手段２３と、表示制御手段２４とを有する。
【００３５】
ＩＤ取得手段２１は、読み取り部３１からユーザＩＤを取得し、取得したユーザＩＤが、記憶部２２に記憶されているか否かを判定し、記憶部２２に記憶されていない場合には、新たにユーザＩＤを記憶させる。
【００３６】
記憶部２２は、ユーザＩＤごとに、ユーザの属性情報、遊戯具１を使用した履歴情報が関連付けられて、ユーザ情報として記憶されている。
【００３７】
ユーザ関連情報算出手段２３は、ＩＤ取得手段２１によりユーザＩＤが取得され、コースＣ１およびＣ２を通過する経過時間が計測されると、ユーザＩＤとプレイした日時とプレイしたコースとに関連付けて、スタートボタンを押下操作してからゴールボタンを押下操作するまでの経過時間（タイム）を履歴情報に追加して記憶させる。
【００３８】
また、ユーザ関連情報算出手段２３は、記憶部２２に記憶された履歴情報に基づいて、当日にプレイしたユーザにおける経過時間（タイム）の順位や、当該ユーザの過去数回分の経過時間（タイム）の平均値などをユーザ関連情報として算出する。
【００３９】
表示制御手段２４は、スタートボタン１１１ａ，１１１ｂと、ゴールボタン１８１ａ，１８１ｂとから、操作信号を受け付けると、コースＣ１およびＣ２それぞれについて通過する経過時間（タイム）を算出する。具体的には、表示制御手段２４は、ユーザがスタートボタン１１１ａを押下操作してからゴールボタン１８１ａを押下操作するまでの経過時間（タイム）を算出する。同様に、表示制御手段２４は、ユーザがスタートボタン１１１ｂを押下操作してからゴールボタン１８１ｂを押下操作するまでの経過時間（タイム）を算出する。
【００４０】
そして、表示制御手段２４は、ユーザ関連情報算出手段２３から送られてくるユーザＩＤと、算出した経過時間（タイム）とに基づいて、ユーザごとに、コースＣ１およびＣ２を通過する経過時間（タイム）を表示パネル１８２に表示させる。また、表示制御手段２４は、ユーザ関連情報算出手段２３により算出された経過時間（タイム）の順位や平均値などを表示するようにしてもよい。
【００４１】
以下、本発明の実施例１である遊戯具１が備える遊戯具ユニット１２〜１８について詳細に説明する。なお、遊戯具ユニット１６は、遊戯具ユニット１３と同一の構成を有するので説明を省略する。
【００４２】
図４は、本発明の実施例１である遊戯具１が備える遊戯具ユニット１２の斜視図であり、図５は、本発明の実施例１である遊戯具１が備える遊戯具ユニット１２の正面図である。
【００４３】
図４，５に示すように、遊戯具ユニット１２は、床面に設置される床部１２１と、床部１２１に立設された側部である４本の支柱１２２ａ〜１２２ｄと、４本の支柱１２２ａ〜１２２ｄにより支持された天井部１２３とを備えている。
【００４４】
床部１２１は、内部に気密空間を有し、他の遊戯具ユニットと連結するために所定の長さＬ（ｍｍ）で形成された少なくとも２つの連結辺１２１ａ，１２１ｂとを有している。
【００４５】
４本の支柱１２２ａ〜１２２ｄは、内部に気密空間を有した高さＨ（ｍｍ）の円柱形状を有しており、床部１２１の気密空間に連通して設けられている。
【００４６】
天井部１２３は、４本の支柱１２２ａ〜１２２ｄの気密空間に連通して設けられている。
【００４７】
床部１２１の連結辺１２１ａと、支柱１２２ａ，１２２ｄと、天井部１２３とで、隣接された遊戯具ユニット１１に対する入口（連結口）１２９ａが形成される。
【００４８】
また、連結辺１２１ｂと、支柱１２２ｂ，１２２ｃと、天井部１２３とで、隣接された遊戯具ユニット１３に対する出口（連結口）１２９ｂが形成される。すなわち、入口（連結口）１２９ａおよび出口（連結口）１２９ｂの開口面積は、Ｌ×Ｈ（ｍｍ２）となっている。ただし、４本の支柱１２２ａ〜１２２ｄの高さは、Ｈ（ｍｍ）とは限らず、例えば、支柱１２２ａおよび１２２ｄの高さＨを、支柱１２２ｂおよび１２２ｃの高さＨより高くするようにしてもよい。
【００４９】
また、遊戯具ユニット１２は、床部１２１と、４本の支柱１２２ａ〜１２２ｄと、天井部１２３とで囲まれた内部空間に、Ｙ２方向に進行するユーザに対する障害物である傾斜面１２４が設けられている。
【００５０】
傾斜面１２４には、ユーザがコースＣ１を進行する際に傾斜面１２４を登るためのガイド部材１２４ａ，１２４ｂが設けられている。
【００５１】
ユーザは、コースＣ１，Ｃ２に沿って、入口（連結口）１２９ａから遊戯具ユニット１１内に入り、傾斜面１２４を登り、さらに内部空間を進行して出口（連結口）１２９ｂから出て、隣接する遊戯具ユニット１３へ入るように設置されている。
【００５２】
図６は、本発明の実施例１である遊戯具１が備える遊戯具ユニット１３の斜視図であり、図７は、本発明の実施例１である遊戯具１が備える遊戯具ユニット１３の正面図である。
【００５３】
図６，７に示すように、遊戯具ユニット１３は、床面に設置される床部１３１と、床部１３１に立設された側部である５本の支柱１３２ａ〜１３２ｅと、５本の支柱１３２ａ〜１３２ｅにより支持された天井部１３３と、コースＣ１とコースＣ２とを区切る間仕切り部１３６とを備えている。
【００５４】
床部１３１は、内部に気密空間を有し、他の遊戯具ユニットと連結するために所定の長さＬ（ｍｍ）で形成された少なくとも２つの連結辺１３１ａ，１３１ｂとを有している。
【００５５】
５本の支柱１３２ａ〜１３２ｅは、内部に気密空間を有した高さＨ（ｍｍ）の円柱形状を有しており、床部１３１の気密空間に連通して設けられている。
【００５６】
天井部１３３は、５本の支柱１３２ａ〜１３２ｅの気密空間に連通して設けられている。
【００５７】
床部１３１の連結辺１３１ａと、支柱１３２ａ，１３２ｅと、天井部１３３とで、隣接された遊戯具ユニット１２に対する入口（連結口）１３９ａが形成される。
【００５８】
また、連結辺１３１ｂと、支柱１３２ａ，１３２ｂと、天井部１３３とで、隣接された遊戯具ユニット１４に対する出口（連結口）１３９ｂが形成される。すなわち、入口（連結口）１３９ａおよび出口（連結口）１３９ｂの開口面積は、Ｌ×Ｈ（ｍｍ２）となっている。ただし、５本の支柱１３２ａ〜１３２ｅの高さは、Ｈ（ｍｍ）とは限らず、例えば、天井部１３３が床面に対して傾斜するように高低差を設けていてもよい。
【００５９】
間仕切り部１３６は、コースＣ１を進行するユーザとコースＣ２を進行するユーザとが接触しないように、コースＣ１とコースＣ２とを仕切る部材として設けられている。間仕切り部１３６は、入口（連結口）１３９ａを仕切る間仕切り支柱１３６ａと、出口（連結口）１３９ｂを仕切る間仕切り支柱１３６ｂと、コースＣ１とコースＣ２とに沿って天井部１３３と平行平面上に設けられたコース間仕切り部１３６ｃと、コース間仕切り部１３６ｃの下方（Ｚ２方向）に設けられ、コースＣ１とコースＣ２とを仕切るネット状の間仕切りネット１３６ｄとを有している。間仕切り支柱１３６ａ，１３６ｂは、床部１３１および天井部１３３との気密空間に連通して設けられており、コース間仕切り部１３６ｃは、天井部１３３との気密空間に連通して設けられている。
【００６０】
また、遊戯具ユニット１３は、床部１３１と、５本の支柱１３２ａ〜１３２ｅと、天井部１２３とで囲まれた内部空間には、進行を妨げるための障害物である障害支柱１３４が複数設けられている。障害支柱１３４は、床部１３１の気密空間に連通して設けられている。また、コースＣ２上の障害支柱１３４の方が、コースＣ１上の障害支柱１３４より、密接して設けられている。これにより、コースＣ２とコースＣ１とに不公平感をなくすことができる。
【００６１】
ユーザは、コースＣ１，Ｃ２に沿って、入口（連結口）１３９ａから遊戯具ユニット１２内に入り、コースＣ１，Ｃ２上の障害支柱１３４の隙間を進行し、出口（連結口）１３９ｂから出て、隣接する遊戯具ユニット１４へ入るように設置されている。
【００６２】
床部１３１の連結辺１３１ａ，１３１ｂ以外の側部には、内部の気密空間へ空気を注入する注入口１３７ｃが設けられており、空気送出ファン１３７ａから送り出された空気がエアチューブ１３７ｂを介して注入口１３７ｃから床部１３１の気密空間に注入される。上述したように、床部１３１と、天井部１３３と、５本の支柱１３２ａ〜１３２ｅとは、それぞれ気密空間が連通されて設けられているので、注入口１３７ｃから注入された空気は、空気流Ｆ１，Ｆ２に示すように、床部１３１から５本の支柱１３２ａ〜１３２ｅを介して天井部１３３へと流入する。
【００６３】
さらに、障害支柱１３４が床部１３１の気密空間に連通して設けられているので、注入口１３７ｃから注入された空気は、空気流Ｆ３に示すように、床部１３１から障害支柱１３４へと流入する。このように、障害支柱１３４の下方から空気が充填されるので、例えば、障害支柱が天井部の気密空間に連通して設けられている場合と比較して、注入口１３７ｃから障害支柱までの圧力損失を低減させることができるので障害支柱内の空気圧の低下を防止することができる。
【００６４】
図８は、本発明の実施例１である遊戯具１が備える遊戯具ユニット１４の斜視図である。
【００６５】
図８に示すように、遊戯具ユニット１４は、床面に設置される床部１４１と、床部１４１に立設された側部である６本の支柱１４２ａ〜１４２ｆと、６本の支柱１４２ａ〜１４２ｆにより支持された天井部１４３とを備えている。
【００６６】
床部１４１は、内部に気密空間を有し、他の遊戯具ユニットと連結するために所定の長さＬ（ｍｍ）で形成された少なくとも２つの連結辺１４１ａ，１４１ｂとを有している。
【００６７】
６本の支柱１４２ａ〜１４２ｆは、内部に気密空間を有した高さＨ（ｍｍ）の円柱形状を有しており、床部１４１の気密空間に連通して設けられている。
【００６８】
天井部１４３は、６本の支柱１４２ａ〜１４２ｆの気密空間に連通して設けられている。
【００６９】
床部１４１の連結辺１４１ａと、支柱１４２ａ，１４２ｆと、天井部１４３とで、隣接された遊戯具ユニット１３に対する入口（連結口）１４９ａが形成される。
【００７０】
また、連結辺１４１ｂと、支柱１４２ｃ，１４２ｄと、天井部１４３とで、隣接された遊戯具ユニット１５に対する出口（連結口）１４９ｂが形成される。すなわち、入口（連結口）１４９ａおよび出口（連結口）１４９ｂの開口面積は、Ｌ×Ｈ（ｍｍ２）となっている。ただし、６本の支柱１４２ａ〜１４２ｆの高さは、Ｈ（ｍｍ）とは限らず、例えば、天井部１４３が床面に対して傾斜するように高低差を設けていてもよい。
【００７１】
また、遊戯具ユニット１４は、床部１４１と、６本の支柱１４２ａ〜１４２ｆと、天井部１４３とで囲まれた内部空間には、進行を妨げるための障害物である障害壁１４４ａ，１４４ｂが設けられている。障害壁１４４ａ，１４４ｂは、床部１４１の気密空間に連通して設けられている。
【００７２】
ユーザは、コースＣ１，Ｃ２に沿って、入口（連結口）１４９ａから遊戯具ユニット１４内に入り、コースＣ１，Ｃ２上の障害壁１４４ａを乗り越え、障害壁１４４ｂをくぐり抜け、出口（連結口）１４９ｂから出て、隣接する遊戯具ユニット１５へ入るように設置されている。
【００７３】
図９は、本発明の実施例１である遊戯具１が備える遊戯具ユニット１４の斜視図である。
【００７４】
図９に示すように、遊戯具ユニット１５は、床面に設置される床部１５１と、床部１５１に立設された側部である６本の支柱１５２ａ〜１５２ｆと、６本の支柱１５２ａ〜１５２ｆにより支持された天井部１５３とを備えている。
【００７５】
床部１５１は、内部に気密空間を有し、他の遊戯具ユニットと連結するために所定の長さＬ（ｍｍ）で形成された少なくとも２つの連結辺１５１ａ，１５１ｂとを有している。
【００７６】
６本の支柱１５２ａ〜１５２ｆは、内部に気密空間を有した高さＨ（ｍｍ）の円柱形状を有しており、床部１５１の気密空間に連通して設けられている。また、床部１５１と、支柱１５２ａ，１５２ｃと、天井部１５３とで囲まれた内部には側面ネット１５２ｇが張られており、床部１５１と、支柱１５２ｄ，１５２ｆと、天井部１５３とで囲まれた内部には側面ネット１５２ｈが張られている。
【００７７】
天井部１５３は、６本の支柱１５２ａ〜１５２ｆの気密空間に連通して設けられている。
【００７８】
床部１５１の連結辺１５１ａと、支柱１５２ａ，１５２ｆと、天井部１５３とで、隣接された遊戯具ユニット１５に対する入口（連結口）１５９ａが形成される。
【００７９】
また、連結辺１５１ｂと、支柱１５２ｃ，１５２ｄと、天井部１５３とで、隣接された遊戯具ユニット１５に対する出口（連結口）１５９ｂが形成される。すなわち、入口（連結口）１５９ａおよび出口（連結口）１５９ｂの開口面積は、Ｌ×Ｈ（ｍｍ２）となっている。ただし、６本の支柱１５２ａ〜１５２ｆの高さは、Ｈ（ｍｍ）とは限らず、例えば、天井部１５３が床面に対して傾斜するように高低差を設けていてもよい。
【００８０】
また、遊戯具ユニット１５は、床部１５１と、６本の支柱１５２ａ〜１５２ｆと、天井部１５３とで囲まれた内部空間には、進行を妨げるための障害物である障害通路１５４が設けられている。障害通路１５４は、Ｘ１−Ｘ２方向に沿って床部１５１の気密空間に連通して設けられた区切り部材１５４ａを有している。この区切り部材１５４ａと、連結辺１５１ａ，１５１ｂと、側面ネット１５２ｇとでピット１５４ｃの空間が形成される。同様に、区切り部材１５４ａと、連結辺１５１ａ，１５１ｂと、側面ネット１５２ｈとでピット１５４ｄの空間が形成される。ピット１５４ｃとピット１５４ｄとは、例えばプラスチック製の軽量のボールＢで満たされている。
【００８１】
ユーザは、コースＣ１に沿って、入口（連結口）１５９ａから遊戯具ユニット１５内に入り、ボールＢで満たされたピット１５４ｄ内をコースＣ１に沿って進行し、出口（連結口）１５９ｂから出て、隣接する遊戯具ユニット１６へ入るように設置されている。同様に、コースＣ２に沿って、入口（連結口）１５９ａから遊戯具ユニット１５内に入り、ボールＢで満たされたピット１５４ｃ内をコースＣ２に沿って進行し、出口（連結口）１５９ｂから出て、隣接する遊戯具ユニット１６へ入るように設置されている。
【００８２】
図１０は、本発明の実施例１である遊戯具１が備える遊戯具ユニット１７の斜視図である。
【００８３】
図１０に示すように、遊戯具ユニット１７は、床面に設置される床部１７１と、床部１７１に立設された側部である８本の支柱１７２ａ〜１７２ｈと、８本の支柱１７２ａ〜１７２ｈにより支持された天井部１７３とを備えている。
【００８４】
床部１７１は、内部に気密空間を有し、他の遊戯具ユニットと連結するために所定の長さＬ（ｍｍ）で形成された少なくとも２つの連結辺１７１ａ，１７１ｂとを有している。
【００８５】
８本の支柱１７２ａ〜１７２ｈは、内部に気密空間を有した高さＨ（ｍｍ）の円柱形状を有しており、床部１７１の気密空間に連通して設けられている。
【００８６】
天井部１７３は、８本の支柱１７２ａ〜１７２ｈの気密空間に連通して設けられている。
【００８７】
床部１７１の連結辺１７１ａと、支柱１７２ａ，１７２ｆと、天井部１７３とで、隣接された遊戯具ユニット１６に対する入口（連結口）１７９ａが形成される。
【００８８】
また、連結辺１７１ｂと、支柱１７２ｃ，１７２ｄと、天井部１７３とで、隣接された遊戯具ユニット１８に対する出口（連結口）１７９ｂが形成される。すなわち、入口（連結口）１７９ａおよび出口（連結口）１７９ｂの開口面積は、Ｌ×Ｈ（ｍｍ２）となっている。ただし、８本の支柱１７２ａ〜１７２ｈの高さは、Ｈ（ｍｍ）とは限らず、例えば、天井部１７３が床面に対して傾斜するように高低差を設けていてもよい。
【００８９】
また、遊戯具ユニット１７は、床部１７１と、８本の支柱１７２ａ〜１７２ｈと、天井部１７３とで囲まれた内部空間には、進行を妨げるための障害物である障害柱１７４が設けられている。障害柱１７４は、内部空間において、上下方向（Ｚ１−Ｚ２方向）や、前後方向（Ｙ１−Ｙ２方向）や、左右方向（Ｘ１−Ｘ２方向）だけでなく、進行を妨げるために様々な方向に設けられている。
【００９０】
ユーザは、コースＣ１，Ｃ２に沿って、入口（連結口）１７９ａから遊戯具ユニット１７内に入り、コースＣ１，Ｃ２上の障害柱１７４をくぐり抜け、出口（連結口）１７９ｂから出て、隣接する遊戯具ユニット１８へ入るように設置されている。
【００９１】
図１１は、本発明の実施例１である遊戯具１が備える遊戯具ユニット１８の斜視図である。
【００９２】
図１１に示すように、遊戯具ユニット１８は、床面に設置される床部１８７と、床部１８７に立設された側部である側壁１８８ａ，１８８ｂと、床部１８７のＸ２側に設けられ、コースＣ１，Ｃ２を進行したユーザが衝突したときの衝撃を緩和する衝撃吸収部１８３とを備えている。
【００９３】
床部１８７は、内部に気密空間を有し、他の遊戯具ユニットと連結するために所定の長さＬ（ｍｍ）で形成された連結辺１８７ａと、衝撃吸収部１８３と連結するために所定の長さＬ（ｍｍ）で形成された連結辺１８７ｂとを有している。
【００９４】
側壁１８８ａ，１８８ｂは、内部に気密空間を有した高さＨ（ｍｍ）の壁面形状を有しており、床部１８７の気密空間に連通して設けられている。
【００９５】
床部１８７の連結辺１８７ａと、側壁１８８ａ，１８８ｂの入口側端部とで、隣接された遊戯具ユニット１７に対する入口（連結口）１８９ａが形成される。また、連結辺１８７ｂと、側壁１８８ａ，１８８ｂの出口側端部とで、隣接された衝撃吸収部１８３に対する出口（連結口）１８９ｂが形成される。
【００９６】
ユーザは、コースＣ１，Ｃ２に沿って、入口（連結口）１８９ａから遊戯具ユニット１８内に入り、コースＣ１，Ｃ２上を進行し、出口（連結口）１８９ｂから出て、隣接する遊戯具ユニット１８へ入るように設置されている。
【００９７】
以上のように、本発明の実施例１である遊戯具１によれば、遊戯具ユニット１２〜１８は、内部に気密空間を有し、他の遊戯具ユニットと連結するために所定の長さで形成された連結辺を有する床部と、気密空間に連通して床部に立設された側部と、を備え、コースＣ１，Ｃ２を形成するように、連結辺と側部とで隣接された遊戯具ユニットに対する連結口が設けられており、遊戯具１は、コースＣ１，Ｃ２のスタート地点に計時を開始するためのスタートボタン１１１ａ，１１１ｂと、コースＣ１，Ｃ２のゴール地点に計時を終了するためのゴールボタン１８１ａ，１８１ｂと、が設けられている。
【００９８】
そのため、遊戯具ユニット１２〜１８は、連結辺の長さが統一されているので、その順番を自由に組み替えることができる。そのため、組み替えられたコースＣ１，Ｃ２で、ユーザがタイムを競い合うことができるので、ユーザにとって飽きのこない遊戯具を提供することができる。
【００９９】
本発明の実施例１である遊戯具１の第２の特徴によれば、遊戯具ユニット１２〜１７内のコースＣ１，Ｃ２上には、ユーザの通過を阻害するように床部と連通して障害物が設けられているので、よりゲーム性を高めることができる。
【０１００】
本発明の実施例１である遊戯具１の第３の特徴によれば、コースＣ１，Ｃ２の２つのコースが設けられている。また、コースは２つに限らず、３コースや４コースなど複数のコースを設けることができる。これにより、複数のコースそれぞれを進行するユーザのタイムをそれぞれ計測し、タイムトライアル形式でゲームを楽しむことができるので、よりゲーム性が高い遊戯具を提供することができる。
【０１０１】
本発明の実施例１である遊戯具１の第４の特徴によれば、遊戯具ユニット１３，１６は、コースＣ１，Ｃ２を区切る間仕切り部を有しているので、ユーザが進行するコースがわかりやすく、ユーザは遊戯具ユニット１３，１６内で進行すべきコースに迷うことなく進行することができる。
【０１０２】
本発明の実施例１である遊戯具１の第５の特徴によれば、２つの連結辺が対向していない、すなわち直線ではないコースＣ１，Ｃ２のコーナー部分を提供する遊戯具ユニット１３，１６内に、コースＣ１，Ｃ２を区切る間仕切り部が設けられているので、ユーザはコーナー部分で交差することなく、適切にコースＣ１，Ｃ２上を進行することができる。
【０１０３】
本発明の実施例１である遊戯具１の第６の特徴によれば、２つの連結辺が対向していない、すなわち直線ではないコースＣ１，Ｃ２のコーナー部分を提供する遊戯具ユニット１３，１６内は、障害物が気密空間に連通して床部に立設されている。そのため、床部から空気を注入することにより遊戯具ユニット１３，１６内の障害物を設置することができるので、簡易な操作で、遊戯具１の移設や遊戯具ユニット１３，１６の組み替えを行うことができる。
【０１０４】
本発明の実施例１である遊戯具１の第７の特徴によれば、スタートボタン１１１ａ，１１１ｂにより開始され、ゴールボタン１８１ａ，１８１ｂにより停止されるまでの経過時間（タイム）を表示パネル１８２に表示させる表示制御手段２４を、さらに備えている。そのため、ユーザは、自身の経過時間（タイム）を表示パネルで確認することができる。
【０１０５】
本発明の実施例１である遊戯具１の第８の特徴によれば、ユーザを識別するユーザＩＤを読み取る読み取り部３１ａ，３１ｂと、読み取り部３１ａ，３１ｂにより読み取られたユーザＩＤと、経過時間とを関連づけて経過時間情報として記憶する記憶部２２と、をさらに備えている。
【０１０６】
そのため、ユーザごとに経過時間（タイム）を経過時間情報として記憶させることができるので、この経過時間情報に基づいて、例えば、当日のタイムトライアルにおけるユーザランキングや、当日プレイしたユーザ全体の経過時間（タイム）の平均値や、ユーザごとの経過時間（タイム）の当日の平均値、月単位の平均値などを算出し、表示パネル１８２に表示することができるので、よりゲーム性が高くなりユーザの楽しみが倍増する。
【０１０７】
なお、遊戯具ユニット１３について、空気送出ファン１３７ａから送り出された空気がエアチューブ１３７ｂを介して注入口１３７ｃから床部１３１の気密空間に注入される構成について説明したが、遊戯具ユニット１３に限らず、遊戯具ユニット１１，１２，１４〜１８も同様に、空気送出ファンと、エアチューブと、空気が注入される注入口とが設けられている。ただし、遊戯具ユニット１３，１６以外の遊戯具ユニットについては、注入口は床部の側部ではなく例えば天井部などに設けられるようにしてもよい。
【０１０８】
その他、本発明実施例１である遊戯具１によれば、同規格の新たな遊戯具ユニットを追加、入れ替えすることも可能であり、また、複数店舗において、内容の異なるコースを配置している場合に一部遊戯具ユニットを店舗間で交換することで共有することを可能とするため、コース変更に伴う必要コストを低減することができる。更に、一部遊戯具ユニットが破損又は損傷した場合には、当該遊戯具ユニットのみを新たに製造、又は別遊戯具ユニットに交換することで遊戯具を稼働させることが可能となるため、ユーザを待たせることなく遊びを提供することができる。
【符号の説明】
【０１０９】
１  遊戯具
１１〜１８  遊戯具ユニット
２０  制御部
２１  ＩＤ取得手段
２２  記憶部
２３  ユーザ関連情報算出手段
２４  表示制御手段
３１  読み取り部
１１１ａ，１１１ｂ  スタートボタン
１２１  床部
１２１ａ，１２１ｂ  連結辺
１２２ａ〜１２２ｄ  支柱
１２３  天井部
１２４  傾斜面
１２４ａ  ガイド部材
１２４ｂ  ガイド部材
１２９ａ  入口（連結口）
１２９ｂ  出口（連結口）
１３１  床部
１３１ａ，１３１ｂ  連結辺
１３２ａ〜１３２ｅ  支柱
１３３  天井部
１３４  障害支柱
１３６  間仕切り部
１３６ａ〜１３６ｂ  支柱
１３６ｃ  コース間仕切り部
１３６ｄ  ネット
１３９ａ  入口（連結口）
１３９ｂ  出口（連結口）
１４１  床部
１４１ａ，１４１ｂ  連結辺
１４２ａ〜１４２ｆ  支柱
１４３  天井部
１４４ａ，１４４ｂ  障害壁
１４９ａ  入口（連結口）
１４９ｂ  出口（連結口）
１５１  床部
１５１ａ，１５１ｂ  連結辺
１５２ａ〜１５２ｆ  支柱
１５２ｇ，１５２ｈ  側面ネット
１５３  天井部
１５４  障害通路
１５４ａ  部材
１５４ｃ，１５４ｄ  ピット
１５９ａ  入口（連結口）
１５９ｂ  出口（連結口）
１７１  床部
１７１ａ，１７１ｂ  連結辺
１７２ａ〜１７２ｈ  支柱
１７３  天井部
１７４  障害柱
１７９ａ  入口（連結口）
１７９ｂ  出口（連結口）
１８１ａ，１８１ｂ  ゴールボタン
１８２  表示パネル
１８３  衝撃吸収部
１８７  床部
１８７ａ，１８７ｂ  連結辺
１８８ａ，１８８ｂ  側壁
１８９ａ  入口（連結口）
１８９ｂ  出口（連結口）
【図１】
2020203011.tif 000003
【図２】
2020203011.tif 000004
【図３】
2020203011.tif 000005
【図４】
2020203011.tif 000006
【図５】
2020203011.tif 000007
【図６】
2020203011.tif 000008
【図７】
2020203011.tif 000009
【図８】
2020203011.tif 000010
【図９】
2020203011.tif 000011
【図１０】
2020203011.tif 000012
【図１１】
2020203011.tif 000013
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
遊戯具ユニットを連結することでユーザが通過するコースが形成された遊戯具であって、
前記遊戯具ユニットは、
内部に空気が注入された気密空間を有し、他の遊戯具ユニットと連結するために所定の長さで形成された連結辺を有する床部と、
前記気密空間に連通して前記床部に立設された側部と、を備え、
前記コースを形成するように、前記連結辺と前記側部とで隣接された遊戯具ユニットに対する連結口が設けられており、
前記遊戯具は、
前記コースのスタート地点に計時を開始するための計時開始手段が設けられるとともに、前記コースのゴール地点に配置された前記遊戯具ユニットに計時を停止するための計時停止手段が設けられた
ことを特徴とする遊戯具。
【請求項２】
前記コース上には、ユーザの通過を阻害するように障害物が設けられた
ことを特徴とする請求項１記載の遊戯具。
【請求項３】
前記コースは複数設けられたことを特徴とする請求項１または２記載の遊戯具。
【請求項４】
前記遊戯具ユニットは、
前記複数設けられたコースを区切る間仕切り部を有していることを特徴とする請求項３記載の遊戯具。
【請求項５】
２つの前記連結辺を有し、
前記２つの連結辺が対向していない前記遊戯具ユニットは、
前記複数設けられたコースを区切る間仕切り部を有していることを特徴とする請求項３記載の遊戯具。
【請求項６】
２つの連結辺を有し、
前記２つの連結辺が対向していない前記遊戯具ユニットは、
前記障害物が前記気密空間に連通して前記床部に立設されている
ことを特徴とする請求項２記載の遊戯具。
【請求項７】
前記計時開始手段により開始され、前記計時停止手段により停止されるまでの経過時間を表示手段に表示させる表示制御手段を、
さらに、を備えたことを特徴とする請求項１〜６のいずれか１項記載の遊戯具。
【請求項８】
前記ユーザを識別するユーザＩＤを読み取る読み取り手段と、
前記読み取り手段により読み取られたユーザＩＤと、前記経過時間とを関連づけて経過時間情報として記憶する記憶手段と、
をさらに備えたことを特徴とする請求項７記載の遊戯具。
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
遊戯具ユニットを連結することでユーザが通過するコースが形成された遊戯具であって、
前記遊戯具ユニットは、
内部に空気が注入された気密空間を有し、他の遊戯具ユニットと連結するために所定の長さで形成された連結辺を有する床部と、
前記気密空間に連通して前記床部に立設された側部と、を備え、
前記コースを形成するように、前記連結辺と前記側部とで隣接された他の遊戯具ユニットに対する連結口が設けられており、
前記遊戯具は、
距離の異なる複数の前記コースを有しており、
前記コースごとのスタート地点に配置された前記遊戯具ユニットに、ユーザ操作により計時を開始するための計時開始手段が設けられるとともに、前記コースごとのゴール地点に配置された前記遊戯具ユニットに、ユーザ操作により計時を停止するための計時停止手段が設け、
前記コースごとに対応した前記計時開始手段により計時が開始されてから前記計時停止手段により計時が停止されるまでの前記コースごとの経過時間を表示手段に表示させる表示制御手段をさらに備え、
前記コースを形成する前記遊戯具ユニットにはユーザの通過を阻害する障害物が設けられた前記遊戯具ユニットを含み、前記計時開始手段または前記計時停止手段が設けられている前記遊戯具ユニットには前記障害物が設けられていない
ことを特徴とする遊戯具。
【請求項２】
前記遊戯具ユニットは、
前記複数設けられたコースを区切る間仕切り部を有していることを特徴とする請求項１記載の遊戯具。
【請求項３】
前記ユーザを識別するユーザＩＤを読み取る読み取り手段と、
前記読み取り手段により読み取られたユーザＩＤと、前記経過時間とを関連づけて経過時間情報として記憶する記憶手段と、
をさらに備えたことを特徴とする請求項１記載の遊戯具。